(57)【要約】      （修正有）【課題】特に寒冷地においても暖房負荷が増大することないばかりか熱交換素子の凍結を防ぎ適正な温度交換並びに湿度交換が可能となる新規な地熱利用型住宅用換気システム及びこのシステムを利用した住宅を提供する。【解決手段】外気が流入する外気流入口、室内空気供給口と、室内空気流入口と、室内空気流出口と、上記外気流入口から上記室内空気供給口に至る空気と上記室内空気流入口から上記室内空気流出口に至る空気との間で熱交換する熱及び湿度交換素子と、上記外気流入口から流入した空気が上記室内空気供給口に至るよう駆動する第１の換気扇と、上記室内空気流入口から流入した空気が上記室内空気流出口に至るよう駆動する第２の換気扇と、を備えた全熱交換型住宅用換気装置２を備え、上記外気流入口は、中途部が地中内を通り先端は屋外に位置してなる導管２７の基端が接続され、外気はこの導管２７の先端から流入し上記外気流入口２０内に供給される。【選択図】図１
2014231982.tif 000002
【特許請求の範囲】
【請求項１】
外気が流入する外気流入口と、この外気流入口から流入した外気を室内に供給する室内空気供給口と、室内の空気が流入する室内空気流入口と、この室内空気流入口から流入した室内の空気を住宅の外に放出する室内空気流出口と、上記外気流入口から上記室内空気供給口に至る空気と上記室内空気流入口から上記室内空気流出口に至る空気との間で温度及び湿度を交換する熱交換素子と、上記外気流入口から流入した空気が上記室内空気供給口に至るよう駆動する第１の換気扇と、上記室内空気流入口から流入した空気が上記室内空気流出口に至るよう駆動する第２の換気扇と、を備えた全熱交換型住宅用換気装置を備え、
上記全熱交換型住宅用換気装置は、住宅内に配置されてなり、上記外気流入口は、中途部が地中内を通り先端は屋外に位置してなる導管の基端が接続され、外気はこの導管の先端から流入し上記外気流入口内に供給されることを特徴とする地熱利用型住宅用換気システム。
【請求項２】
前記導管の先端側は地中から起立してなる円筒状の外側起立管部を有し、この外側起立管部の先端には、該外側起立管部の外側から外気が流入する開放部が形成された先端キャップが固定されてなるとともに、この先端キャップには、蚊等の害虫その他の異物の侵入を防止する網部が形成された網付き部材と、上記開放部を閉塞する閉塞板部が形成された閉塞部材とが、選択的に取付け可能とされており、
前記導管の基端側であって前記住宅の床下には、地中から起立した内側起立管部を有し、この内側起立管部の上端には、床下内の空気が流入する分岐管部が接続され、この分岐管部には、形状記憶合金を素材とした弾性部材の伸縮作用により所定の温度を境に換気口を自動的に開閉する開閉板を備えた温度自動開閉換気装置が配置されており、
この温度自動開閉換気装置は、上記床下の空気の温度が所定の開放温度に達した場合には、上記開閉板が自動的に上記換気口を閉塞開放する一方、上記床下の空気が所定の閉塞温度に達した場合には、該開閉板が自動的に上記換気口を閉塞する動作を行うことを特徴とする請求項１記載の地熱利用型住宅用換気システム。
【請求項３】
前記温度自動開閉換気装置は、前記床下の空気が流入する換気口と、この換気口を開閉する二つの開閉板と、これらの開閉板にカム機構を介して連結されてなるスライド部材と、一端は固定され他端は上記スライド部材に接続されてなる一方の弾性部材と、他端は固定され一端は上記スライド部材に接続されてなり形状記憶合金を素材とする他方の弾性部材と、を有しており、
上記床下の空気が前記所定の開放温度に達した場合には、上記他方の弾性部材が収縮し上記一方の弾性部材が伸長するとともに上記スライド部材が一方方向にスライドすることにより上記開閉板が上記換気口を閉塞し、上記床下の空気が前記所定の閉塞温度に達した場合には、上記他方の弾性部材の弾性力が伸長し上記一方の弾性部材が収縮するとともに上記スライド部材が他方方向にスライドすることにより上記開閉板が上記換気口を開放することを特徴とする請求項２記載の地熱利用型住宅用換気システム。
【請求項４】
前記請求項１ないし３記載の何れかの地熱利用型住宅用換気システムを利用したことを特徴とする住宅。
【発明の詳細な説明】
【技術分野】
【０００１】
本発明は、地熱利用型住宅用換気システム及びこのシステムを利用した住宅に関するものである。
【背景技術】
【０００２】
近年、住宅の建材に含まれるホルムアルデヒド等の化学物質による人体への悪影響を防止・緩和するために、一定の要件を満たす住宅には、所定の換気設備の設置が義務付けられている。他方、住宅で消費されるエネルギーの無駄を省き、省エネルギー化に貢献するべきことは、住宅に住む消費者のみならず国からの要請でもある。しかしながら、上記換気設備の設置は、住宅内で暖められ又は冷やされた空気及び住宅内で蓄えられた水分又は除湿された空気を外部に放出することを意味するものであり、省エネルギー化の要請だけでなく、快適な住環境とは相矛盾することとなる。そこで、本願出願人は、こうした換気設備の設置により住宅内の空気を外部に放出するとともに、住宅内に導入する外気との間で熱交換することにより、熱エネルギーを有効に回収することを目的とした全熱交換型住宅用換気システムを提案した。（特許文献１参照）。
【０００３】
上記特許文献１に住宅用換気システムによれば、全熱熱交換素子により潜熱及び顕熱の両方のエネルギー損失を抑制しながら、いわゆる計画換気をすることが可能となる。
【先行技術文献】
【特許文献】
【０００４】
【特許文献１】特許第４８１４１７０号公報
【発明の概要】
【発明が解決しようとする課題】
【０００５】
しかしながら、上記特許文献１に開示された住宅用換気システムは、外気温が大きく低下する極寒地域では、上記全熱交換型住宅用換気システムを構成する熱交換素子の内部が凍結し、温度交換や湿度交換が不能となるばかりではなく、適正な風量の低下を招き所定の換気回数や２４時間連続運転も不能となる。
【０００６】
そこで、本発明は、上述した従来の全熱交換型住宅用換気システムが有する課題を解決するために提案されたものであって、特に寒冷地においても暖房負荷が増大することないばかりか熱交換素子の凍結を防ぎ適正な温度交換並びに湿度交換が可能となる新規な地熱利用型住宅用換気システム及びこのシステムを利用した住宅を提供することを目的とするものである。
【課題を解決するための手段】
【０００７】
本発明は、上記課題を解決するために提案されたものであり、第１の発明（請求項１記載の発明）は、地熱利用型住宅用換気システムに係るものであって、外気が流入する外気流入口と、この外気流入口から流入した外気を室内に供給する室内空気供給口と、室内の空気が流入する室内空気流入口と、この室内空気流入口から流入した室内の空気を住宅の外に放出する室内空気流出口と、上記外気流入口から上記室内空気供給口に至る空気と上記室内空気流入口から上記室内空気流出口に至る空気との間で温度及び湿度を交換する熱交換素子と、上記外気流入口から流入した空気が上記室内空気供給口に至るよう駆動する第１の換気扇と、上記室内空気流入口から流入した空気が上記室内空気流出口に至るよう駆動する第２の換気扇と、を備えた全熱交換型住宅用換気装置を備え、上記全熱交換型住宅用換気装置は、住宅内に配置されてなり、上記外気流入口は、中途部が地中内を通り先端は屋外に位置してなる導管の基端が接続され、外気はこの導管の先端から流入し上記外気流入口内に供給されることを特徴とするものである。
【０００８】
この第１の発明に係る地熱利用型住宅用換気システムでは、上記全熱交換型住宅用換気装置を構成する第１の換気扇の駆動により、外気流入口内に流入する空気は、上記導管の先端から流入した後に地中熱と温度交換を行い、その後に該外気流入口内に流入する。したがって、これまでの住宅用換気システムと比較すると、この第１の発明に係る地熱利用型住宅用換気システムによれば、室内外の空気の寒暖差が小さくなるために暖房負荷を小さなものに抑制することができるとともに、上記温度及び湿度を交換する熱交換素子により、適切な温度交換及び湿度交換も可能となることから、体感温度も良好なものとなる。また、適切な湿度環境を得ることから、室内建具や床材のすきや反りといった問題や、肌の乾燥や喉の痛み等、人体への影響を低減できる。さらに、上記温度及び湿度を交換する熱交換素子の内部の凍結も防ぐことができることから、寒冷地、特に極寒地域では非常に困難な温度交換や湿度交換を安定して行うことができるとともに、適正な風量を維持することができ、所定の換気回数や２４時間連続運転も可能となる。すなわち、これまで全熱交換換気システムは極寒地では使用することが出来なかったところ、該全熱交換換気システムを地熱と組み合わせることにより、全熱交換換気システムの温度及び湿度交換を有効に機能させることができるようになった。
【０００９】
なお、上記全熱交換型住宅用換気装置は、住宅内に配置されていれば、例えば二階であると一階であるとが問われるものではない。また、上記導管は、地中に埋設される地中ダクトと、この地中ダクトの一端に基端が接続され先端が屋外に露出した外部露出ダクトとから構成しても良く、こうした構造にした場合における該地中ダクトの地表からの深度は、凍結深度に応じて凡そ１〜２ｍ程度とすることが好ましく、また、屋外に位置する上記外部露出ダクトの先端の地表からの高さは、雪による流入量の低下を考えた場合、凡そ１〜２．５ｍとすることが望ましい。
【００１０】
また、第２の発明（請求項２記載の発明）は、上記第１の発明において、前記導管の先端側は地中から起立してなる円筒状の外側起立管部を有し、この外側起立管部の先端には、該外側起立管部の外側から外気が流入する開放部が形成された先端キャップが固定されてなるとともに、この先端キャップには、蚊等の害虫その他の異物の侵入を防止する網部が形成された網付き部材と、上記開放部を閉塞する閉塞板部が形成された閉塞部材とが、選択的に取付け可能とされており、前記導管の基端側であって前記住宅の床下には、地中から起立した内側起立管部を有し、この内側起立管部の上端には、床下内の空気が流入する分岐管部が接続され、この分岐管部には、形状記憶合金を素材とした弾性部材の伸縮作用により所定の温度を境に換気口を自動的に開閉する開閉板を備えた温度自動開閉換気装置が配置されており、この温度自動開閉換気装置は、上記床下の空気の温度が所定の開放温度に達した場合には、上記開閉板が自動的に上記換気口を開放する一方、上記床下の空気が所定の閉塞温度に達した場合には、該開閉板が自動的に上記換気口を閉塞する動作を行うことを特徴とするものである。
【００１１】
この第２の発明では、床下の温度が開放温度となった場合には、上記温度自動開閉換気装置を構成する開閉板により換気口が自動的に開放され、この場合には、上記先端キャップに閉塞部材を装着する。また、床下の温度が開放温度となった場合には、上記開閉板により換気口が自動的に閉塞され、この場合には、上記先端キャップに上記閉塞部材に替えて網付き部材を装着することができる。すなわち、床下の温度が高くなった場合（温度自動開閉換気装置を構成する開閉板により換気口が自動的に開放される温度になった場合）には、上記閉塞部材を先端キャップに装着することにより、上記中途部が地中内を通り先端は屋外に位置してなる導管を通過することなく、外気流入口内に空気が流入する結果、該導管内に結露が発生し、この結露に黴等の細菌が発生することが防止できる。また、この場合には、床下の空気が流入するため、屋外の空気を直接流入させる換気システムに比べ、冷房負荷を削減することができる。逆に、床下の温度が低くなった場合（温度自動開閉換気装置を構成する開閉板により換気口が自動的に閉塞される温度になった場合）には、上記網付き部材を先端キャップに装着することにより、上記導管を通過して外気流入口内に空気が流入する結果、前記第１の発明で説明したように、地中熱と温度交換をして温められた空気を流入させるため、暖房負荷を小さなものに抑制することができる。そして、この際、上記導管には黴等の細菌が発生していないことから、該導管を通過して流入した空気に異臭が帯びることがない。
【００１２】
また、第３の発明（請求項３記載の発明）は、上記第２の発明において、前記温度自動開閉換気装置は、前記床下の空気が流入する換気口と、この換気口を開閉する二つの開閉板と、これらの開閉板にカム機構を介して連結されてなるスライド部材と、一端は固定され他端は上記スライド部材に接続されてなる一方の弾性部材と、他端は固定され一端は上記スライド部材に接続されてなり形状記憶合金を素材とする他方の弾性部材と、を有しており、上記床下の空気が前記所定の開放温度に達した場合には、上記他方の弾性部材が収縮し上記一方の弾性部材が伸長するとともに上記スライド部材が一方方向にスライドすることにより上記開閉板が上記換気口を閉塞し、上記床下の空気が前記所定の閉塞温度に達した場合には、上記他方の弾性部材の弾性力が伸長し上記一方の弾性部材が収縮するとともに上記スライド部材が他方方向にスライドすることにより上記開閉板が上記換気口を開放することを特徴とするものである。
【００１３】
この第３の発明では、前記温度自動開閉換気装置は上述した構成を備えていることから、第２の発明と同じように、結露の発生に起因する細菌の発生及びこの細菌の発生による異臭の発生を有効に防止することができる。
【００１４】
また、第４の発明（請求項４記載の発明）は、住宅に係るものであって、前記第１ないし第３の発明の何れかに係る地熱利用型住宅用換気システムを利用したことを特徴とするものである。
【００１５】
こうした第４の発明に係る住宅による場合であっても、上記地熱利用型住宅用換気システムと同じ作用効果を実現することができる。
【発明の効果】
【００１６】
第１の発明（請求項１記載の発明）に係る地熱利用型住宅用換気システムや第４の発明（請求項４記載の発明）に係る住宅によれば、それぞれ室内外の空気の寒暖差が小さくなるために暖房負荷を小さなものに抑制することができるとともに、上記温度及び湿度を交換する熱交換素子により、適切な温度交換及び湿度交換も可能となることから、体感温度も良好なものとなる。また、適切な湿度環境を得ることから、室内建具や床材のすきや反りといった問題や、肌の乾燥や喉の痛み等、人体への影響を低減できる。さらに、上記温度及び湿度を交換する熱交換素子の内部の凍結も防ぐことができることから、寒冷地、特に極寒地域では非常に困難な温度交換や湿度交換を安定して行うことができるとともに、適正な風量を維持することができ、所定の換気回数や２４時間連続運転も可能となる。
【図面の簡単な説明】
【００１７】
【図１】住宅の内部構造と地中熱ダクトとをそれぞれ模式的に示す模式図である。
【図２】図１に示す住宅を模式的に示す側面図である。
【図３】熱及び湿度交換素子を模式的に示す斜視図である。
【図４】住宅用換気装置を示すものであり、（Ａ）は住宅用換気装置の正面図、（Ｂ）は住宅用換気装置の左側面図、（Ｃ）は住宅用換気装置の右側面図、（Ｄ）は住宅用換気装置の平面図である。
【図５】住宅用換気装置がクローゼット内に配置されている状態を示す側面図である。
【図６】地熱利用型住宅用換気システムを模式的に示す模式図である。
【図７】先端キャップと網付き部材又は閉塞部材の配置位置と温度自動開閉換気装置との配置位置を模式的に示す側面図である。
【図８】先端キャップと網付き部材及び閉塞部材の外観をそれぞれ示す斜視図である。
【図９】先端キャップに網付き部材又は閉塞部材を装着した状態を示す斜視図である。
【図１０】先端キャップに網付き部材又は閉塞部材を装着した状態を示す断面図である。
【図１１】温度自動開閉換気装置の分解斜視図である。
【図１２】開閉操作部材が装着された換気口本体を示す正面図である。
【図１３】開閉操作部材を示す外観斜視図である。
【図１４】温度自動開閉換気装置の断面図である。
【図１５】図１４に示す温度自動開閉換気装置を拡大して示す断面図である。
【図１６】図１５に示す温度自動開閉換気装置のスライド部材，フレーム部材及び背面側スライド部材を分解して示す断面図である。
【図１７】第２のコイルスプリングが伸長し第１及び第２の開閉板により換気口が閉塞された状態の要部を示す断面図である。
【図１８】第２のコイルスプリングが収縮し第１及び第２の開閉板により換気口が開放された状態の要部を示す断面図である。
【図１９】スライド部材，フレーム部材及び背面側スライド部材を分解して示す斜視図である。
【発明を実施するための形態】
【００１８】
以下、本発明を実施するための最良の形態に係る地熱利用型住宅用換気システムを、図面を参照しながら詳細且つ具体的に説明する。なお、この実施の形態に係る地熱利用型住宅用換気システムは、二階建ての住宅に本発明を適用したものである。
【００１９】
この地熱利用型住宅用換気システムは、図１に示すように、二階建ての住宅１の二階に全熱交換型住宅用換気装置（以下、換気装置と言う。）２が配置されている。この換気装置２は、二階に設けられたクローゼット３に設置されたものである。このクローゼット３は、部屋と部屋とを区画する第１の壁面５と、外壁６（図５参照）と、上記第１の壁面５と対向する第２の壁面７と、上記第１の壁面５と直交するとともに開閉自在となされた開閉扉８とから構成された空間であり、該換気装置２の正面は、この開閉扉８と対向している。そして、この換気装置２は、図４の（Ａ）〜（Ｄ）に示すように、略直方体状に成形され正面に開口（符号は省略する。）を有してなる筐体１０と、この筐体１０に取り外し可能に装着され上記開口の上部側を閉塞する第１の前面カバー１１と、この第１の前面カバー１１の下側に取外し可能に装着され上記開口を閉塞する第２の前面カバー１２とを備えている。そして、上記第１の前面カバー１１の正面には、この換気装置２のオンオフ操作や換気量等を電気的に制御・調節するリモートコントローラ１３が配置されている。なお、このリモートコントローラ１３は、上記第１の前面カバー１１に配置することなく、例えば、上記クローゼット３の外側に形成された壁等に配置しても良く、また、この換気装置２は、室内又は廊下等の非居室に配置されていても良い。また、上記第２の前面カバー１２の下側中途部には、横長の開口（符号は省略する。）が形成され、この開口はメンテナンスカバー１４が開閉自在に配置されている。また、上記筐体１０内であって上記第２の前面カバー１２の背面側には、上下に第１及び第２の熱・湿度交換用エレメント（熱交換素子）１５，１６が配置されている。これら第１及び第２の熱・湿度交換用エレメント１５，１６は、直交流型の熱交換素子であって、後述するように、住宅１の外側から流入した外気と、住宅１内から外に排出する空気との間で熱及び湿度を交換する素子である。そして、上記第２の熱・湿度交換用エレメント１６の下側には、エアフィルタ１７が配置されている。このエアフィルタ１７は、住宅１の外側から流入した外気を上記第２の熱・湿度交換用エレメント１６の下側に到る手前において除塵するものであり、上記換気装置２の正面に設けられたメンテナンスカバー１４を開放することにより着脱可能とされている。
【００２０】
また、上記換気装置２の筐体１０を構成する天板１９には、図示しない第１ないし第４の開口が形成され、図４の（Ｄ）に示すように、これら第１ないし第４の開口には、第１ないし第４の管体２０・・・２３が固定されている。そして、上記第１の管体２０は、住宅１外の空気（外気：後述する地中熱ダクト及び接続管を介して流入する空気）がこの換気装置２内に流入する外気流入口（ＯＡ）であり、この第１の管体２０の手前に固定されている第２の管体２１は、住宅１内の空気をこの換気装置２内に流入させる室内空気流入口（ＲＡ）である。また、この第２の管体２１の右側に配置されている第３の管体２２は、上記第１の管体２０から換気装置２内に流入した空気を住宅１内に供給する室内空気供給口（ＳＡ）である。また、この第３の管体２２の後方に配置されている第４の管体２３は、上記第２の管体２１から換気装置２内に流入した空気を住宅１外に流出させる室内空気流出口（ＥＡ）である。そして、上記第３の管体２２の下側であって上記筐体１０内には、図４の（Ｃ）に示すように、給気用送風機２５が配置され、上記第４の管体２３の下方には、排気用送風機２６が固定されている。また、上記筐体１０内には、上記第１の管体（外気流入口：ＯＡ）２０から上記エアフィルタ１７の下側に亘って図示しない第１の外気流路が形成され、またエアフィルタ１７から第２の熱・湿度交換用エレメント１６の下面までにおいても図示しない第２の外気流路が形成されている。
【００２１】
そして、上記第１及び第２の熱・湿度交換用エレメント１５，１６には、図３に示すように、平板部材１５ａ（１６ａ）及び波板部材１５ｂ（１６ｂ）が交互に積層されており、この積層方向において、該第１の熱・湿度交換用エレメント１５には、第１の熱・湿度交換流路１５ｃが形成され、第２の熱・湿度交換用エレメント１６には、第２の熱・湿度交換流路１６ｃが形成され、また、第１の熱・湿度交換用エレメント１５には、第３の熱・湿度交換流路１５ｄが形成され、第２の熱・湿度交換用エレメント１６には、第４の熱・湿度交換流路１６ｄが形成されている。上記第１及び第２の熱・湿度交換流路１５ｃ（１６ｃ）と第３（又は第４）の熱・湿度交換流路１５ｄ（１６ｄ）とは、上記平板部材１５ａ（１６ａ）を挟んで交互に区画形成されている。そして、上記第１及び第２の熱・湿度交換用エレメント１５，１６には、上記平板部材１５ａ（１６ａ）の長辺側の側面に上記第１又は第２の熱・湿度交換流路１５ｃ（１６ｃ）が開口し、該平板部材１５ａ（１６ａ）の短辺側の側面に上記第３又は第４の熱・湿度交換流路１５ｄ（１６ｄ）が開口している。なお、この第１及び第２の熱・湿度交換用エレメント１５，１６には、図３の手前側及び奥側の端面は、上記第１又は第２の熱・湿度交換流路１５ｃ（１６ｃ）と第３又は第４の熱・湿度交換流路１５ｄ（１６ｄ）とのいずれにも開口しない閉塞面を構成している。そして、上記第１の熱・湿度交換用エレメント１５に形成された上記第１の熱・湿度交換流路１５ｃと、第２の熱・湿度交換用エレメント１６に形成された上記第２の熱・湿度交換流路１６ｃとは互いに接続され、上記第１の熱・湿度交換用エレメント１５に形成された上記第３の熱・湿度交換流路１５ｄと、第２の熱・湿度交換用エレメント１６に形成された上記第４の熱・湿度交換流路１６ｄとは互いに接続されている。そして、上記第１の熱・湿度交換用エレメント１５に形成された第１の熱・湿度交換流路１５ｃは、上記第３の管体（室内空気供給口：ＳＡ）２２に接続されている。また、第１の熱・湿度交換用エレメント１５に形成された第３の熱・湿度交換流路１５ｄは、上記第２の管体（室内空気流入口：ＲＡ）２１に接続されている。また、上記第２の熱・湿度交換用エレメント１６に形成された第２の熱・湿度交換流路１６ｃは、上記第１の管体（外気流入口：ＯＡ）２０に接続されている。また、この第２の熱・湿度交換用エレメント１６に形成された第４の熱・湿度交換流路１６ｄは、上記第４の管体（室内空気流出口：ＥＡ）２３に接続されている。
【００２２】
そして、上記第１の管体（外気流入口：ＯＡ）２０には、図５に示すように、外気流入管２７の一端が接続され、この外気流入管２７の他端（下端）は、図２に示すように、中途部が地中に埋設され先端は基礎の上面よりもやや上方に突出してなる第１の起立管部１８ａと、この第１の起立管部１８ａの下端が一端と接続され地中内において水平方向に埋設された水平管部１８ｂと、この水平管１８ｂの他端に下端が接続され上方に起立した状態で地中に埋設されてなる第２の起立管部１８ｃと、この第２の起立管部１８ｃの上端に下端が接続され住宅１の外壁６に徐々に近づくように傾斜して配置された傾斜管部１８ｄと、この傾斜管部１８ｄの上端に下端が接続され上方に起立してなるとともに下端側中途部から地上に露出してなる第３の起立管部１８ｅとから構成されている。なお、この第３の起立管部１８ｅの上端（先端）には、先端キャップ１８ｆが固定されており、この先端キャップ１８ｆには、図示しない多数の開口（小孔）が形成され、外気はこれらの開口を通過して内部に流入するように構成されている。なお、これらの開口は、雨や雪、更には虫が内部に侵入できない内径を有するものとされている。また、上記第３の起立管部１８ｅの中途部は、住宅１の外壁６に基端が固定された留め金具（符号は省略する。）を介して固定され、不用意に曲ったり変形したりすることが防止されている。また、上記水平管部１８ｂは、上記第２の起立管部１８ｃ側から図２中において上記外気流入管２７の配置位置よりもさらに右側に延設され中途部でＵ字状に折れ曲げられて上記第１の起立管部１８ａの下端に接続されている。
【００２３】
また、上記第２の管体（室内空気流入口：ＲＡ）２１には、この住宅１内に設けられた図示しないホールの天井に接続された室内空気吸込管２８の一端が接続されている。この室内空気吸込管２８の他端は、上記ホールの天井に固定され、後述するように上記排気用送風機２６が駆動すると、ホール内の空気はこの室内空気吸込管２８の他端から吸い込まれ、上記換気装置２内に流入する。また、上記第３の管体（室内空気供給口：ＳＡ）２２には、分岐チャンバ３２が接続され、この分岐チャンバ３２には、間に風量調節装置４５を介して、各室内に空気を分割して供給する分岐排出管２９，３０，３１が接続されている。また、第４の管体（室内空気流出口：ＥＡ）２３には、室内空気排気管３３の一端が接続されている。この室内空気排気管３３の他端は、外壁６に形成された管取付穴（符号は省略する。）に挿通され屋外に臨まされている。なお、上記室内空気排気管３３の他端は、上記外壁６の外側面に固定された屋外フード３４により覆われている。
【００２４】
すなわち、この換気装置２は、図６に模式的に示すように、上記給気用送風機２５と排気用送風機２６とが駆動すると、上記地中熱ダクト１８の先端から外気が流入し、地中を通過して上記外気流入管２７内に流入し、該外気流入管２７の他端側から上記第１の管体（外気流入口：ＯＡ）２０を介して該換気装置２内に流入し、図４に示すエアフィルタ１７の下側から第２及び第１の熱・湿度交換用エレメント１６，１５内に形成された図示しない第２及び第１の熱・湿度交換流路１６ｃ，１５ｃを通過し、第３の管体（室内空気供給口：ＳＡ）２２を介して分岐チャンバ３２内に到り、この分岐チャンバ３２から上記風量調節装置４５を通過して分岐排出管２９，３０，３１の他端側から各室内に給気される。一方、上記室内空気吸込管２８からは図示しないホール内の空気が流入し、上記第２の管体（室内空気流入口：ＲＡ）２１を介して換気装置２内に流入し、上記第１の熱交換エレメント１５に形成された第３の熱・湿度交換流路１５ｄ及び第２の熱・湿度交換用エレメント１６に形成された第４の熱・湿度交換流路１６ｄを通過し、上記第４の管体（室内空気流出口：ＥＡ）２３を介して上記室内空気排気管３３の他端側から屋外に排出される。
【００２５】
また、上記実施の形態に係る地熱利用型住宅用換気システムでは、二階建ての住宅１に適用したものを図示して説明したが、この地熱利用型住宅用換気システムは、図示しない一階建てや三階建ての住宅に適用したものであっても良い。また、上記実施の形態に係る地熱利用型住宅用換気システムないしこうしたシステムを利用した住宅１では、本発明を構成する熱交換素子として、直交流型の熱交換素子（第１及び第２の熱・湿度交換用エレメント１５，１６）を図示して説明したが、上記熱交換素子は、少なくとも、温度及び湿度を交換する機能を備えたものであれば、対交流型の熱交換素子を用いても良い。また、換気装置２は、本発明を構成する全熱交換型の機能を備えたものであれば、風路やファンの配置等の構造形態は自由で、天井置き型のものであっても良い。
【００２６】
上述した実施の形態に係る地熱利用型住宅用換気システム又はこうしたシステムを利用した住宅１では、上記先端キャップ１８ｆに形成された多数の開口（小孔）から流入した外気は、上記第３の起立管部１８ｅ，傾斜管部１８ｄ，第２の起立管部１８ｃ，水平管１８ｂを通過することにより地熱により加温された上で、上記第１の起立管部１８ａ内を通過し、上記外気流入管２７を通過して、上述したように、エアフィルタ１７の下側から第２及び第１の熱・湿度交換用エレメント１６，１５内に形成された図示しない第２及び第１の熱・湿度交換流路１６ｃ，１５ｃを通過し、第３の管体（室内空気供給口：ＳＡ）２２を介して分岐チャンバ３２内に到り、この分岐チャンバ３２から上記風量調節装置４５を通過して分岐排出管２９，３０，３１の他端側から各室内に給気される。したがって、この地熱利用型住宅用換気システム又はこうしたシステムを利用した住宅によれば、それぞれ室内外の空気の寒暖差が小さくなるために暖房負荷を小さなものに抑制することができるとともに、上記温度及び湿度を交換する第２及び第１の熱・湿度交換用エレメント１６，１５（熱交換素子）により、適切な温度交換及び湿度交換も可能となることから、体感温度も良好なものとなる。また、適切な湿度環境を得ることから、室内建具や床材のすきや反りといった問題や、肌の乾燥や喉の痛み等、人体への影響を低減できる。さらに、上記温度及び湿度を交換する熱交換素子の内部の凍結も防ぐことができることから、寒冷地、特に極寒地域では非常に困難な温度交換や湿度交換を安定して行うことができるとともに、適正な風量を維持することができ、所定の換気回数や２４時間連続運転も可能となる。
【００２７】
また、この発明に係る地熱利用型住宅用換気システムは、図７に示すように、上記第３の起立管部１８ｅの先端（上端）に、先端キャップ４１が固定され、この先端キャップ４１には、網付き部材４３又は閉塞部材４４の何れかが選択的に取り付けられるように構成するとともに、上記外気流入管２７と第１の起立管部１８ａとの間には、床下内の空気が流入する分岐管部４８を接続し、この分岐管部４８には、温度自動開閉換気装置４９が配置されてなる構成を採用しても良い。なお、上記第３の起立管部１８ｅは、本発明を構成する外側起立管部であり、上記外気流入管２７と第１の起立管部１８ａとは、本発明を構成する導管である。
【００２８】
上記先端キャップ４１は、図１０に示すように、円弧状の仕切り板部４１ａが内部に形成されており、この仕切り板部４１ａを間に介して、一方は上記第３の起立管部１８ｅの上端側が内部に挿入固定される管挿入空間４１ｂとされ、他方は開閉空間４１ｃとされている。上記管挿入空間４１ｂは、上記仕切り板部４１ａの内周面と先端キャップ４１の内周面とにより円筒状に成形されてなるものであり、図１０に示すように、上記第３の起立管部１８ｅの外径よりもやや大径化されてなるものであり、上端には該第３の起立管部１８ｅの上端が当接し該第３の起立管部１８ｅの内径と同じ内径とされた小径部４１ｄが形成されている。また、上記開閉空間４１ｃは、略三日月状に成形されたものであり、下方は開放されている。そして、この先端キャップ４１の下端の外周には、図８に示すように、スライドガイド凸条部４１ｃが形成されている。一方、上記網付き部材４３と閉塞部材４４とは、何れも同一の外形形状に成形されてなるものであり、上記スライドガイド凸条部４１ｃの外周縁よりもやや大きいＵ字状の外側枠部４３ａ，４４ａと、この外側枠部４３ａ，４４ａの両端から円弧状に形成された内側枠部４３ｂ，４４ｂとが形成されている。そして、上記網付き部材４３では、上記外側枠部４３ａと内側枠部４３ｂとの間は、上記略三日月状の開閉空間４１ｃの形状と同じ形状とされた網部４３ｃが形成されている。この網部４３ｃは、外気が通過する一方、蚊やハエ等の害虫が内部に侵入出来ない細かい開口（符号は省略する。）が形成されたものである。また、上記閉塞部材４４では、上記外側枠部４４ａと内側枠部４４ｂとの間は、上記開閉空間４１ｃの形状と同じ形状とされた閉塞部４４ｃが形成され、上記先端キャップ４１内に外気が侵入することが防止されている。
【００２９】
そして、上記網付き部材４３と閉塞部材４４に形成されたＵ字状の外側枠部４３ａ，４４ａの内周面であって上記網部４３ｃや閉塞部４４ｃの上面位置より僅かに上方には、上記先端キャップ４１に形成されたスライドガイド凸条部４１ｃが挿入されるスライド凹条部４３ｄ，４４ｄが形成されている。なお、網付き部材４３と閉塞部材４４を構成する外側枠部４３ａ，４４ａには、先端キャップ４１に対する着脱操作を行う際に作業者が手指で把持する把持部４３ｅ，４４ｅが水平方向に突出している。
【００３０】
したがって、図８に示す網付き部材４３と閉塞部材４４との何れか一方を上記先端キャップ４１に選択的に装着する際においては、作業者が上記把持部４３ｅ，４４ｅを把持し、上記スライドガイド凸条部４１ｃがスライド凹条部４３ｄ，４４ｄに挿入されるように、該網付き部材４３と閉塞部材４４との何れか一方を先端キャップ４１に接近させると、スライドガイド凸条部４１ｃとスライドガイド凹条部４３ｄ，４４ｄとがスライドされ、図９及び図１０に示すように、装着される。すなわち、（冬場において）上記網付き部材４３が装着された場合には、外気は上記網部４３ｃを通過して上記先端キャップ４１内に流入し、図１０に示すように、先端キャップ４１に上端側が固定された上記起立管部１８ｅ内に流入する。
【００３１】
また、上記分岐管部４８は、図７に示すように、外気流入管２７と第１の起立管部１８ａとの間に配置されたものであり、上記外気流入管２７の上端は、先に説明したように、第１の管体（外気流入口：ＯＡ）２０に接続されたものである。そして、この分岐管部４８内に配置された温度自動開閉換気装置４９は、以下に説明する形状記憶合金を素材とした弾性部材の伸縮作用により所定の温度を境に換気口を自動的に開閉する開閉板を備えたものである。この温度自動開閉換気装置４９は、図１１に示すように、床下の空気（外気）が内部に流入する換気口５０ａが形成された換気口本体５０と、この換気口本体５０の裏側に装着され後述するスライド部材６３がスライド自在に配置されたフレーム部材５１と、上記スライド部材６３のスライド動作に伴い上記換気口５０ａを開閉する第１及び第２の開閉板５２，５３と、を備えている。
【００３２】
上記換気口本体５０は、内側が上記換気口５０ａとなされた円筒部５５と、この円筒部５５の正面側に形成されたフランジ部５６とを備え、上記円筒部５５内には、内部に異物が侵入することを防止する複数のルーバー５７が互いに平行に形成されている。なお、上記換気口本体５０の正面には、図１２に示すように、直径方向に中央ルーバー５８が形成され、この中央ルーバー５８の上方及び下方に該中央ルーバー５８に対して平行に上記複数のルーバー５７がそれぞれ形成されている。そして、上記中央ルーバー５８と該中央ルーバー５８の下方で隣り合うルーバー５７との間には、図１１及び図１２に示すように、この換気口本体５０の背面側から挿入され正面は該換気口本体５０の正面に露出してなる開閉操作部材５９が取り付けられている。この開閉操作部材５９は、上記中央ルーバー５８と該中央ルーバー５８の下方で隣り合うルーバー５７とによりガイドされながらこれらに平行にスライド操作可能とされてなるものであり、換気口本体５０の正面に露出してなる正面板部５９ａと、図１３に（Ａ）及び（Ｂ）として示すように、この正面板部５９ａの両端から垂直に折曲された左側板部５９ｂ及び右側板部５９ｃと、両端が上記左側板部５９ｂ及び右側板部５９ｃと連続してなる上面板部５９ｄとを備えている。そして、上記正面板部５９ａの正面の左側には、図１２に示すように、「ＯＰＥＮ」の文字（符号は省略する。）が、中央には「ＡＵＴＯ」の文字が、右側には「ＣＬＯＳＥ」の文字がそれぞれ表示されている。そして、後に詳述する構造により、この開閉操作部材５９が中央に位置する場合には、床下の温度が後述する開放温度又は閉塞温度との関係において上記第１及び第２の開閉板５２，５３が自動的に開閉動作するものであり、上記開閉操作部材５９が左側にスライド操作された場合には、上記開放温度又は閉塞温度とは無関係に強制的に上記開閉板５２，５３により上記換気口５０ａが閉塞され、これとは逆に、該開閉操作部材５９が右側にスライド操作された場合には、上記開放温度又は閉塞温度とは無関係に強制的に上記開閉板５２，５３により上記換気口５０ａが開放される。なお、上記中央ルーバー５８の正面には、上記開閉操作部材５９の位置がどの位置であるかを示す位置表示部５８ａが形成されている。したがって、この温度自動開閉換気装置４９は、上記位置表示部５８ａとの関係で、上記開閉操作部材５９が何れの位置であるかを認識することができる。
【００３３】
また、上記開閉操作部材５９を構成する上面板部５９ｄには、図１３に示すように、左右方向に長さを有する長方形状の開口５９ｅが形成され、上記上面板部５９ｄの背面側には上記正面板部５９ａと平行とされた背面板部５９ｆが形成され、さらにこの背面板部５９ｆの上端からは上面板部５９ｄが形成されている。なお、上記開口５９ｅを形成する右内側壁面５９ｘは、後述するように、開閉操作部材５９を最も左側にスライド操作する過程で後述する右側係止片６３ｇ（図１９参照）に当接する部位であり、該開口５９ｅを形成する左内側壁面５９ｙは、上記開閉操作部材５９を最も右側にスライド操作する過程で後述する左側係止片６３ｆ（図１９参照）に当接する部位である。そして、この底面板部５９ｇの下面の中央には、側面形状が略Ｕ字状に成形された弾性板部５９ｈが形成されている。そして、この弾性板部５９ｈの正面には、係止用凸部５９ｊが形成されている。一方、上記中央ルーバー５８の下方に隣り合うルーバー５７の背面の中央には、図１１に示すように、上記係止用凸部５９ｊが係止される係合凹部５７ａが波状に複数並んで形成されている。なお、上記換気口本体５０に形成されたルーバー５７の裏面には、図１１に示すように、複数の筒状部６０が背面側に突出されており、これらの筒状部６０の内周面には図示しないネジが形成されている。
【００３４】
また、上記換気口本体５０の裏側に装着されたフレーム部材５１は、図１１に示すように、上記円筒状の換気口５０ａと略同じ径に成形されたリング状枠部５１ａと、このリング状枠部５１ａの正面端から内側に形成された内側フランジ部５１ｂとを備えている。そして、上記内側フランジ部５１ｂの中央には背面側に開口（符号は省略する。）が形成され上記開閉操作部材５９のスライド方向に長さを有するボックス部５１ｃが形成されている。このボックス部５１ｃを形成する左右の側板部（符号は省略する。）と、上記内側フランジ部５１ｂとは左右の接続部５１ｄ，５１ｅと一体化され、該ボックス部５１ｃを形成する上下の側板部（符号は省略する。）と上記内側フランジ部５１ｂとは上下の接続部５１ｆ，５１ｇと一体化されている。なお、上記左右の接続部５１ｄ，５１ｅと上下の接続部５１ｆ，５１ｇとの長さ方向は互いに直行している。また、上記内側フランジ部５１ｂであって、上記左右の接続部５１ｄ，５１ｅと上下の接続部５１ｆ，５１ｇとのそれぞれ端部との中間位置には、それぞれ内側に突出した円弧状板部（符号は省略する。)が形成されており、これらの円弧状板部の中央には貫通穴（符号は省略する。）が形成されている。そして、このフレーム部材５１は、これらの貫通穴に挿通されるとともに上記筒状部６０の内周面に形成された図示しないネジに螺着される螺子６１（図１４参照）により取り付けられている。また、図１１に示すように、上記リング状枠部５１ａであって、上記上下の接続部５１ｆ，５１ｇのそれぞれ基端側には、後述する第１及び第２の開閉板５２，５３のそれぞれに形成された回動軸５２ｂ，５３ｂの端部が挿入又は挿通される凹部又は挿通穴５１ｊ，５１ｋ，５１ｍ，５１ｎが形成されている。
【００３５】
そして、上記ボックス部５１ｃは、図１１又は図１６に示すように、上記左右の側板部及び上下の側板部と一体化された正面板部５１ｐを備え、この正面板部５１ｐには、長方形状の開口５１ｑが形成されている。なお、この開口５１ｑの長さ方向は、上記開閉操作部材５９のスライド方向と同じものとされている。そして、このボックス部５１ｃの正面側には、本発明を構成するスライド部材６３が配置されている。このスライド部材６３は、上記ボックス部５１ｃの正面板部５１ｑに対向する対向板部６３ａと、この対向板部６３ａの背面から突出してなり上記開口５１ｑ内に挿入され、該開口５１ｑ内において、先に説明した開閉操作部材５９のスライド操作範囲と同じ範囲に亘ってスライド可能な長さとされた長方形状の凸状部６３ｂとを備えている。また、このスライド部材６３には、図１６に示すように、対向板部６３ａの正面には、凹部６３ｃが形成され、上記凸状部６３ｂの背面から上記凹部６３ｃには、挿通穴６３ｄが形成され、さらに、上記対向板部６３ａの正面から上記中央ルーバー５８の背面方向にはバネ固定片６３ｅが突設されている。また、上記対向板部６３ａの下面には、図１１又は図１９に示すように、上記開閉操作部材５９を最も右側にスライド操作する過程で上記左内側壁面５９ｙに当接する左側係止片６３ｆと、開閉操作部材５９を最も左側にスライド操作する過程で上記右内側壁面５９ｘに当接する右側係止片６３ｇとが互いに対向した状態で垂下されている。
【００３６】
また、図１１又は図１７に示すように、上記フレーム部材５１を構成する上記左の接続部５１ｄの左端側には、第１のバネ係止部５１ｒが正面側に向かって突出され、上記右の係止部５１ｅの右側には、第２のバネ係止部５１ｓが正面側に向かって突出されている。そして、上記第２のバネ係止部５１ｓには、第２のコイルスプリング６６の一端が固定され、該第２のコイルスプリング６６の他端は上記バネ固定片６３ｅの左端に取り付けられている。この第２のコイルスプリング６５は、本発明を構成する一方の弾性部材であり、鉄又はステンレススチールが素材とされている。また、上記第１のバネ係止部５１ｒには、第１のコイルスプリング６５の他端が固定され、該第１のコイルスプリング６５の一端は上記バネ固定片６３ｅの右端に取り付けられている。この第１のコイルスプリング６５は、本発明を構成する他方の弾性部材である。そして、上記第１のコイルスプリング６５は、（床下の）大気温度が摂氏１２度以上である場合には、上記第２のコイルスプリング６６と比較して引張力が強まり、大気温度が摂氏５度以下となった場合には、上記第２のコイルスプリング６６と比較して引張力が弱まる性質を備えた形状記憶合金により構成されている。
【００３７】
そして、上述したスライド部材６３には、下端側が上記ボックス部５１ｃに形成された開口５１ｑに挿通された背面側スライド部材６８が取り付けられている。この背面側スライド部材６８は、図１９に示すように、板状に成形された主板部６８ａと、この主板部６８ａの正面端の左右両側から正面側に突出してなる左右の脚部６８ｂ，６８ｃとを備えている。なお、上記主板部６８ａの幅及び左右の脚部６８ｂ，６８ｃの幅は、上記スライド部材６３に形成された挿通穴６３ｄの長さよりも僅かに短いものとされている。そして、上記左右の脚部６８ｂ，６８ｃの間には、先端に引き抜き防止用の逆止爪（符号は省略する。）が形成された左右の固定用脚部６８ｄ，６８ｅが形成されている。これら左右の固定用脚部６８ｄ，６８ｅの先端に形成された上記逆止爪は、それぞれ上記開口５１ｑを通過するとともにスライド部材６３に形成された挿通穴６３ｄに挿通されることにより該スライド部材６３の正面に上記逆止爪が係合する部位である（図１５参照）。また、この背面側スライド部材６８に形成された左右の脚部６８ｂ，６８ｃの上端側中途部には、上記スライド部材６３に装着された際、上記ボックス部５１ｃの背面に当接する上下の当接軸６８ｇ，６８ｈ，６８ｊ，６８ｋが上下にそれぞれ起立又は垂下されている。また、この背面側スライド部材６８の背面側下面には、図１１及び図１８に示すように、第１の連結軸６８ｍと、第２の連結軸６８ｎが起立されている。
【００３８】
そして、上記第１の開閉板５２は、図１１に示すように、上記換気口５０ａの半分を開閉するとともに円弧状端縁（符号は省略する。）と直線状端縁（符号は省略する。）を備えた半円状の開閉板本体５２ａと、上記直線状端縁に形成された上記回動軸５２ｂと、を備えている。なお、上記円弧状端縁には、上記内側フランジ部５１ｂに形成された円弧状板部の形成位置に対応した位置に円弧状の切欠き部５２ｃが形成されている。また、上記回動軸５２ｂの中央には、切欠き部５２ｄが形成され、この切欠き部５２ｄの近傍には、第１のカム部材５２ｅが正面側に突出し、この第１のカム部材５２ｅには、図１７及び図１８に示すように、上記背面側スライド部材６８に形成された第１の連結軸６８ｍが挿通された長孔５２ｆが形成されている。なお、この長孔５２ｆの内周形状は、上記スライド部材６３と一体化された背面側スライド部材６８がスライド動作することにより、上記第１の連結軸６８ｍの外周面と摺接し、上記第１の開閉板５２全体を９０度の範囲に亘って回動される形状とされている。また、上記第２の開閉板５３は、図１１に示すように、上記換気口５０ａの半分を開閉するとともに円弧状端縁（符号は省略する。）と直線状端縁（符号は省略する。）を備えた半円状の開閉板本体５３ａと、上記直線状端縁に形成された上記回動軸５３ｂと、を備えている。なお、上記円弧状端縁には、上記内側フランジ部５１ｂに形成された円弧状板部の形成位置に対応した位置に円弧状の切欠き部５３ｃが形成されている。また、上記回動軸５３ｂの中央には、切欠き部５３ｄが形成され、この切欠き部５３ｄの近傍には、第２のカム部材５３ｅが背面側に突出し、この第２のカム部材５３ｅには、図１７及び図１８に示すように、上記背面側スライド部材６８に形成された第２の連結軸６８ｎが挿通された長孔５３ｆが形成されている。なお、この長孔５３ｆの内周形状は、上記スライド部材６３と一体化された背面側スライド部材６８がスライド動作することにより、上記第２の連結軸６８ｎの外周面と摺接し、上記第２の開閉板５３全体を９０度の範囲に亘って回動される形状とされている。
【００３９】
そして、このように構成された温度自動開閉換気装置４９では、上記換気口本体５０の正面に配置された開閉操作部材５９を最も左側にスライド操作すると、該開閉操作部材５９に表示された「ＣＬＯＳＥ」の文字は上記中央ルーバー５８に表示された位置表示部５８ａの下側に位置するとともに、このスライド操作の途中においては、開閉操作部材５９に形成された右内側壁面５９ｘがスライド部材６３に形成された右側係止片６３ｇに当接し、さらに同じ方向にスライド操作すると、上記スライド部材６８（及び背面側スライド部材６８）が左側にスライドさせられ、このスライド部材６３のスライドにより、上記第１のコイルスプリング６５は伸長される一方、上記第２のコイルスプリング６６は縮小させられ、さらに、上記第１及び第２の開閉板５２，５３が時計回り方向又は反時計回り方向に回動させられ、こうした第１及び第２の開閉板５２，５３の動作により、上記換気口５０ａが閉塞させられる。逆に、上記開閉操作部材５９を最も右側にスライド操作すると、該開閉操作部材５９に表示された「ＯＰＥＮ」の文字は上記中央ルーバー５８に表示された位置表示部５８ａの下側に位置するとともに、このスライド操作の途中においては、開閉操作部材５９に形成された左内側壁面５９ｙがスライド部材６３に形成された左側係止片６３ｆに当接し、さらに同じ方向にスライド操作すると、上記スライド部材６８（及び背面側スライド部材６８）は右側にスライドさせられ、このスライド部材６３のスライドにより、上記第１及び第２の開閉板５２，５３が反時計回り方向又は時計回り方向に回動させられ、こうした第１及び第２の開閉板５２，５３の動作により、上記換気口５０ａが開放させられる。この状態においては、上記第１のコイルスプリング６５は縮小される一方、上記第２のコイルスプリング６６は伸長させられている。そして、上述したように、強制的に左側又は右側に開閉操作部材５９がスライドさせられると、該開閉操作部材５９に形成された係止用凸部５９ｊとルーバー５７に形成された係合凹部５７ａとが互いに係合することにより、それぞれの状態が上記第１及び第２のコイルスプリング６５，６６の弾性力に抗して維持される。
【００４０】
また、上記開閉操作部材５９を中央にスライド操作すると、該開閉操作部材５９に表示された「ＡＵＴＯ」の文字は上記中央ルーバー５８に表示された位置表示部５８ａの下側に位置する。そして、上記開閉操作部材５９がこの中央位置に存在する場合には、開閉操作部材５９に形成された右内側壁面５９ｘとスライド部材６３に形成された右側係止片６３ｇとは、また、該開閉操作部材５９に形成された左内側壁面５９ｙとスライド部材６３に形成された左側係止片６３ｆとは、それぞれ当接していない。すなわち、この「ＡＵＴＯ」の状態においては、開閉操作部材５９とスライド部材６３とは、何ら互いに係合されることはなく、該スライド部材６３及び背面側スライド部材６８は、上記第１のコイルスプリング６５と第２のコイルスプリング６６との張力が均衡した位置に存在し、該スライド部材６３及び背面側スライド部材６８は、所定のスライド範囲に亘って、該第１及び第２のコイルスプリング６５，６６の張力が均衡した状態で位置することとなるとともに、上記第１のコイルスプリング６５の張力の変化に依存してスライド可能な状態となる。
【００４１】
そして、この実施の形態においては、第１のコイルスプリング６５は、先に説明したように、（床下の）大気温度が摂氏１２度（開放温度）以上である場合には、上記第２のコイルスプリング６６と比較して引張力が強まり、大気温度が摂氏５度（閉塞温度）以下となった場合には、上記第２のコイルスプリング６６と比較して引張力が弱まる性質を備えた形状記憶合金により構成されている。したがって、床下の大気温度が摂氏１２度（開放温度）以上になった場合には、上記第１のコイルスプリング６５の引張力が第２のコイルスプリング６６の引張力よりも強まり、この結果、上記スライド部材６３及び背面側スライド部材６８は右側にスライドし、図１８に示すように、第１及び第２の開閉板５２，５３は、上記換気口５０ａを開放した状態となる。なお、この場合には、上記先端キャップ４１には、上記閉塞部材４４を装着しておく。そして、床下の温度が徐々に低下し、摂氏１２度を下回ってくると、徐々に上記第１のコイルスプリング６５の引張力が弱まる結果、それまで開放状態にあった第１及び第２の開閉板５２，５３は徐々に換気口５０ａを閉塞するよう回動し、温度が摂氏５度（閉塞温度）以下となった場合には、上記第１のコイルスプリング６５の引張力はさらに弱まり、この結果、上記スライド部材６３及び背面側スライド部材６８は左側にスライドし、図１７に示すように、第１及び第２の開閉板５２，５３は、上記換気口５０ａを閉塞した状態となる。なお、この場合には、上記先端キャップ４１には、上記網付き部材４３を装着しておく。
【００４２】
したがって、このように構成された温度自動開閉換気装置４９が上述した「ＡＵＴＯ」の状態においては、床下の大気温度が開放温度となった場合には、上記給気用送風機２５と排気用送風機２６との駆動により、（先に説明したルートとは異なり）上記地中熱ダクト１８を通過することなく、この温度自動開閉換気装置４９を通過して上記外気流入管２７内に流入する。すなわち、床下の温度が１２度（開放温度）以上となった場合には、上記地中ダクト１８を通過することなく外気流入管２７に空気が流入することから、該地中熱ダクト１８の内周面に結露が発生することを防止することができ、こうして発生した結露に細菌等が繁殖することを防止することができる。また、床下の空気を流入させるため、外気を直接流入させる換気システムに比べ、冷房負荷を削減することができる。
【００４３】
一方、上記床下の大気温度が閉塞温度となった場合には、それまで先端キャップ４１に装着されていた閉塞部材４４に替えて、上記網付き部材４３を装着する。すると、上記給気用送風機２５と排気用送風機２６との駆動により、外気は、上記地中熱ダクト１８を通過して上記外気流入管２７内に流入する。すなわち、床下の温度が５度（閉塞温度）以上となった場合には、上記地中ダクト１８を通過して外気流入管２７に空気が流入する。したがって、この場合には、地中熱ダクト１８の内周面に発生した結露に繁殖した細菌等は存在することがないため異臭が発生することもなく、地中熱と温度交換をして温められた空気を流入させるため、暖房負荷を削減できる。
【００４４】
以上説明したように、上記第３の起立管部１８ｅの先端（上端）に、先端キャップ４１を固定し、この先端キャップ４１には、網付き部材４３又は閉塞部材４４の何れかが選択的に取り付けられるように構成するとともに、上記外気流入管２７と第１の起立管部１８ａとの間には、床下内の空気が流入する分岐管部４８を接続し、この分岐管部４８には、温度自動開閉換気装置４９が配置されてなる構成を地熱利用型住宅用換気システムとして採用することにより、地中ダクト１８内に結露が発生し、この結露に細菌等が発生する危険性を有効に防止することができることから、常に異臭の発生を防止することができ、安全かつ省エネで快適な居住空間を提供することができる。
【符号の説明】
【００４５】
１  住宅
２  全熱交換型住宅用換気装置
６  外壁
１５  第１の熱・湿度交換用エレメント
１６  第２の熱・湿度交換用エレメント
１８  地中熱ダクト
１８ａ  第１の起立管部
１８ｅ  第３の起立管部
２０  第１の管体（外気流入口：ＯＡ）
２１  第２の管体（室内空気流入口：ＲＡ）
２２  第３の管体（室内空気供給口：ＳＡ）
２３  第４の管体（室内空気流出口：ＥＡ）
２５  給気用送風機
２６  排気用送風機
２７  外気流入管
２８  室内空気吸込管
４１  先端キャップ
４３  網付き部材
４４  閉塞部材
４９  温度自動開閉換気装置
５０  換気口本体
５０ａ  換気口
５１  フレーム部材
５２  第１の開閉板
５３  第２の開閉板
５９  開閉操作部材
６３  スライド部材
６５  第１のコイルスプリング
６６  第２のコイルスプリング
６８  背面側スライド部材
Ｇ  地表
【図１】
2014231982.tif 000003
【図２】
2014231982.tif 000004
【図３】
2014231982.tif 000005
【図４】
2014231982.tif 000006
【図５】
2014231982.tif 000007
【図６】
2014231982.tif 000008
【図７】
2014231982.tif 000009
【図８】
2014231982.tif 000010
【図９】
2014231982.tif 000011
【図１０】
2014231982.tif 000012
【図１１】
2014231982.tif 000013
【図１２】
2014231982.tif 000014
【図１３】
2014231982.tif 000015
【図１４】
2014231982.tif 000016
【図１５】
2014231982.tif 000017
【図１６】
2014231982.tif 000018
【図１７】
2014231982.tif 000019
【図１８】
2014231982.tif 000020
【図１９】
2014231982.tif 000021